(57)【特許請求の範囲】
【請求項１】
照射ノズルから出射される陽子線を患者の患部に照射する陽子線治療システムに使用される治療台において、
固定された一方向に陽子線ビームを出射する照射ノズル、
陽子線ビームを照射する一方向を基準線とするとき、該基準線に対して直交する軸線が垂直に貫通する面に位置し、患者が座す座板、
該座板の前縁でこれに回転自在に枢支され、少なくとも座板とほぼ平面を保持する位置で座板に固定できるフットレスト、
該座板の後縁で該フットレストが軸支される枢支軸と平行な枢支軸で回転自在に軸支され、少なくとも座板とほぼ平面を保持する位置で座板に固定できる背板、
該座板と基準線間の距離を可変にする昇降機、
該座板を基準線と直交する軸線に対して回転させる回転手段、
基準線と直交する軸線に対して直交し、且つ該基準線に対して平行方向に該座板を駆動する第１の駆動手段、
基準線と直交する軸線に対して直交する方向で、且つ前記第１の駆動手段が駆動する方向と直交する方向に該座板を駆動する第２の駆動手段、
を具備し、少なくとも座板上の患者の患部を基準線上に位置せしめて該患部に陽子線を照射することを特徴とする陽子線治療システムに使用される治療台。
【請求項２】
上記昇降機の一端は座板に固定され、他方端は基準線と直交し昇降機の伸縮軸線を中心にして回転する回転座上で前記第１と第２の駆動手段により駆動される基台に固定されていることを特徴とする請求項１に記載の陽子線治療システムに使用される治療台。
【請求項３】
前記背板の座板に枢支されている縁と対抗する縁部に、位置可変自在に設けられた頭部固定座を有することを特徴とする請求項１に記載の陽子線治療システムに使用される治療台。
【請求項４】
照射ノズルから出射される陽子線を患者の患部に照射する陽子線治療システムに使用される治療台において、
固定された一方向に陽子線ビームを出射する照射ノズル、
陽子線ビームを照射する一方向を基準線とするとき、該基準線を中心としてこれに直交する面上にある円の円周に沿って位置が可変であり、かつ該円の中心に向かってＸ線を放射するＸ線管、
該基準線に対して直交する軸線が垂直に貫通する面に位置し、患者が座す座板、
該座板の前縁でこれに回転自在に枢支され、少なくとも座板とほぼ平面を保持する位置で座板に固定できるフットレスト、
該座板の後縁で該フットレストが軸支される枢支軸と平行な枢支軸で回転自在に軸支され、少なくとも座板とほぼ平面を保持する位置で座板に固定できる背板、
該座板と基準線間の距離を可変にする昇降機、
該座板を基準線と直交する軸線に対して回転させる回転手段、
基準線と直交する軸線に対して直交し、且つ該基準線に対して平行方向に該座板を駆動する第１の駆動手段、
基準線と直交する軸線に対して直交する方向で、且つ前記第１の駆動手段が駆動する方向と直交する方向に該座板を駆動する第２の駆動手段、
を具備し、前記Ｘ線管から放射されるＸ線を用いて患者の患部位置を位置決めし、少なくとも座板上の患者の該患部を基準線上に位置せしめて該患部に陽子線を照射することを特徴とする陽子線治療システムに使用される治療台。
【請求項５】
上記昇降機の一端は座板に固定され、他方端は基準線と直交し昇降機の伸縮軸線を中心にして回転する回転座上で前記第１と第２の駆動手段により駆動される基台に固定されていることを特徴とする請求項４に記載の陽子線治療システムに使用される治療台。
【請求項６】
前記背板の座板に枢支されている縁と対抗する縁部に、位置可変自在に設けられた頭部固定座を有することを特徴とする請求項４に記載の陽子線治療システムに使用される治療台。
【発明の詳細な説明】
【０００１】
【発明の属する技術分野】
本発明は、陽子線治療システムに使用される治療台に関し、詳しくは、陽子線を患者に的確に照射出来ると共に、使用に当たっての安全を重視した陽子線治療システムに使用される治療台に関する。
【０００２】
【従来の技術】
従来の放射線による癌治療には、Ｘ線、ガンマ線、電子線及び速中性子線等の放射線が利用されてきた。これらの放射線は、身体の表面近くで身体に最大の影響を及ぼし、身体内部に進入するに従って、その影響は弱くなる。そのため、身体深部の癌を治療するために必要な量の放射線を身体に照射すると、癌の治療によって正常な身体表面付近の組織をも傷つけてしまう可能性が強い。
【０００３】
一方、陽子線には、身体表面から一定の深さで線量が最大になるブラックピークを形成しその後急速にゼロとなる、という特性がある。そのため身体の深部にある癌の治療を行う場合であっても、身体表面付近の癌以外の正常細胞に対して比較的障害を与えることなく深部の癌を治療することができる。又、陽子線自体の生物に与える効果（ＲＢＥ）がＸ線のそれと略々同じことから、従来のＸ線治療における知識、経験の蓄積を十二分に活用できるという利点を陽子線治療は併せ持っている。これらの特長を生かし、機能器官を除去することなく癌治療するＱ. Ｏ. Ｌ（Quality Of Life ）を目指した治療装置としての陽子線治療装置の設置導入機運が最近とみに高まってきている。
【０００４】
このような機運の中で、国内癌治療施設では、上記陽子線治療装置の設置導入を決め、現在実際の治療に使用する装置の完成を目指している。次に上記陽子線治療装置について説明する。図６は、陽子線治療システムの主要機器の配置図である。この陽子線治療システムは、概略、治療装置Ａと、付属装置Ｂと、付帯設備装置Ｃを持つ。治療装置Ａは、陽子を加速して、取り出された陽子ビームのエネルギーを変えかつエネルギーの広がりを制限する陽子線加速装置１０１と、その陽子ビームの安定軌道を確保し損失なく、照射室へ輸送するためのビーム輸送装置（ＢＴＳ）１０２と、陽子ビームを成形処理し、身体の病巣位置に的確にこれを照射するためのガントリーと呼ばれる回転照射装置１０３及び固定照射装置１０４を持つ。
【０００５】
陽子線加速装置１０１は、陽子を２３５（ＭｅＶ）のエネルギーまで加速する加速器本体であるサイクロトロンと、それから照射された陽子ビームのエネルギーを必要に応じて、そのエネルギー分散を制限しながら変えるためのエネルギー分析装置（ＥＳＳ）とからなる。回転照射装置１０３は、照射野、照射深さ等の照射要求条件を実現する照射部（ノズル）と、その入り口までビームを輸送するビーム輸送装置（ＢＴＳ）１０２の端末部と、該ノズルとビーム輸送装置１０２の端末とその先端に取り付けたノズルを搭載した任意角度で照射を行うための構造体からなり、これに隣接して、患者の患部位置決めシステムを含む治療台が設けられている。固定照射装置１０４は、回転照射装置１０３と略々同じ装置であるが、ノズルから照射される陽子線が水平方向のみに固定されている点が回転照射装置１０３と相違する。
【０００６】
付属装置Ｂは、照射治療を計画するための診断装置、治療計画システム及び治療具工作機器を含む。診断装置は、患者の体内患部情報を収集するためのＭＲＩ、ＣＴスキャナー及び患部位置決め確認用のＸ線シュミレータからなる。治療計画システムは、診断装置で得られた体内患部情報を基に照射治療計画を実施するためのハードウエア及びソフトウエア等で構成される。治療具工作機器は、治療計画からのアウトプットに基づき患者コリメーターやボーラスをオンラインで加工するＮＣ放電加工機、ＮＣマシニングセンター及びＮＣ三次元測定器によって構成される。なお、付属装置は、本願発明の要旨とから外れるものであるので、これ以上の説明は省略する。
【０００７】
付帯設備装置Ｃは、加速器やビーム輸送機器へ電力を供給する直流電流電源を主体とした各種電源、電流導体（コイル）直接冷却用の純水冷却供給設備等からなるものである。なお、付帯設備装置Ｃは、本願発明の要旨とから外れるものであるので、これ以上の説明は省略する。
【０００８】
上記陽子線治療システムは、医療装置であるとの観点から、患者及び医療スタッフに対しての安全を最優先にしているが、片や病院内で少人数でなお且つ医療スタッフ主導で運転されるとの観点からその安全性、操作性及び保守の容易性を追求したシステムである。このシステムは、加速器としてサイクロトロンを採用しており、他の加速器方式と比較してサイクロトロンから生成されるビームの特性として、
▲１▼最大電流値を大きく取れること（最大３００nA）、
▲２▼その電流値及びビーム形状の短時間変動が極めて小さいこと、
▲３▼ビーム照射位置の時間変動が極めて小さいこと、
▲４▼時間構造的に連続ビームからパルスビームまでの多様構造をとることができること、
を挙げることができる。
【０００９】
又、ビーム特性以外のサイクロトロンの大きな特徴として加速器定常運転での調整対象機器は３つだけという単純機器構成となっていることと、積極的に磁場変動や高周波変動を付加する他の加速器とは違い、サイクロトロンは一定磁場であることから早い磁場変動に影響されやすいＭＲＩやＣＴシミュレータ等の性能に影響を与えにくいこと等の特徴を挙げることができる。これらサイクロトロンの特徴は本陽子線治療システムに対して次に挙げるような特徴点をもたらす。
（１）加速器自体で時間的、空間的に安定した治療照射ができるので、加速器以降の系を単純化し、信頼できるものに可能ならしめている（たとえば、照射野がφ２０ＣＭ以下であれば構造的に簡単で安定した散乱方式が採用できる等）。
（２）患者の呼吸とともに規則、不規則変動する患部位置に対応させて長時間患者を拘束することなく、適切な照射ができる。
（３）治療照射として、近将来の理想照射形態である種々の３次元照射に十二分に対応する能力を有する。
（４）照射の立ち上げ立ち下げ時間が短く治療に供される時間を多くとれ、操作が簡単で又加速器の知識、経験を有する運転要員を必要としない。
（５）医療電子機器に対する磁場変動、高周波変動ノイズ対策が容易である。
【００１０】
陽子線治療システム全体の観点からは、患者、医療スタッフが日常的にアクセスしなければならない照射治療部回りの装置が安全性の確保及び照射・運転性能の発揮の点から、加速装置以上に重要なところである。照射治療部回りの構成は上述したように、照射装置と患者の位置決めシステムから構成されるがこれらに対しては特に安全性の確保を最優先としている。
【００１１】
安全施策に関しては、基本的にはフェールセーフの考え方を徹底したものとし、電気機械の基本的な安全設計及び放射線劣化防止等のための材質の選定等、機器そのものに対する安全施策実施は勿論のこと、患者に対する施策及び医療スタッフに対する施策を様々な場合を想定して織り込んでいる。例えば、患者に対する安全を確保するだけでも、設定線量を超えた過剰な線量照射の防止、ガントリー構造体駆動、受像管駆動及び治療台駆動等に起因する機械的障害事故の防止、機器事故発生時の患者の安全緊急避難の確保、患者コリメーター及びボーラスの交換時の機器落下の未然災害防止、患者自身の照射時の異変検知及び安全緊急対応等種々の事故想定をして安全施策を織り込んでいる。
【００１２】
前記に要求される機能は、治療計画システムを用いて作成した照射条件通りに患部に照射すること、つまり照射対象の患部に対して計画通りの線量分布及び線量値になるように陽子線を許容誤差内で照射することである。これらを実現するためにはビームに対する患者患部の照射位置を精度よく決めなければならないことと、計画した線量分布をノズル内に配置された各種ビーム成形用機器にて精度よく実現することが要求される。前者要求を満足するために患者患部の位置決めは、まずビーム軸と患部の照射中心をノズル内と照射空間に設置したクロスレーザポインターに患部体表面上の基準マーキングと一致させることで水平垂直の粗決めを行い、その後照射空間に設置されたＤＲＲから得られる患者患部の水平垂直のＸ線画像情報を治療計画で設定された照射位置に一致させるように治療台を移動させることで精密位置決めを行う手順で実施される。又、精密位置決めできる前提として、ビーム軸（ノズル）及び照射中心位置の再現性も含んだ位置精度が十分確保されることが要求される。
【００１３】
後者の線量分布要求は、基本的にはビーム特性が治療に関わる代表時間内で再現性を含めて時間的、空間的に十分安定していれば大半解決されることであり、後の半分はファントム等を使用しての照射治療前の線量分布の測定をいかに精度を上げて短時間で実施できるかに依存している。
【００１４】
【発明が解決しようとする課題】
上述の如き陽子線治療システムでは、加速器としてのサイクロトロンからは極めて質のよい陽子線が発生するとともに、ノズルから患部方向に照射される陽子線ビームは、ビーム軸（ノズル）及び照射中心位置の再現性も含んだ位置精度が十分確保される。従って、陽子線照射を受ける患者側も、患部に対して正確に陽子線が照射されるような患者保持装置が必要である。
【００１５】
一方、固定照射装置４は、ノズルから出射される陽子線が水平方向に固定されている。したがって、回転照射装置３のように、ノズル周りにガントリを必要としないので、ノズル部分の構造が簡単になる。しかし、患者に対して照射方向が患者軸心に対して直角方向から照射するコンプランナー照射のみならず、陽子線治療で要求される任意の方向からの照射、すなわち照射方向が患者軸心に対して任意の方向と距離からのノンコンプラナー照射を可能にする必要がある。しかしながら、従来は、固定照射装置に対して、単にノンコンプランナー照射が行える患者用の治療台しかなかった。
【００１６】
本発明は、上述のような技術的な願望を満たすためになされたものであって、その目的は、固定照射装置に対して、ガントリを使用することなく、コンプランナー照射及びノンコンプランナー照射が行えるとともに、照射位置合わせが容易に行えるような陽子線治療システムの治療台を提供しようとするものである。
【００１７】
【課題を解決するための手段】
上述の如き本発明の目的を達成するために、本願の請求項１に係る発明では、照射ノズルから出射される陽子線を患者の患部に照射する陽子線治療システムに使用される治療台において、固定された一方向に陽子線ビームを出射する照射ノズル、陽子線ビームを照射する一方向を基準線とするとき、該基準線に対して直交する軸線が垂直に貫通する面に位置し、患者が座す座板、該座板の前縁でこれに回転自在に枢支され、少なくとも座板とほぼ平面を保持する位置で座板に固定できるフットレスト、該座板の後縁で該フットレストが軸支される枢支軸と平行な枢支軸で回転自在に軸支され、少なくとも座板とほぼ平面を保持する位置で座板に固定できる背板、該座板と基準線間の距離を可変にする昇降機、該座板を基準線と直交する軸線に対して回転させる回転手段、基準線と直交する軸線に対して直交し、且つ該基準線に対して平行方向に該座板を駆動する第１の駆動手段、基準線と直交する軸線に対して直交する方向で、且つ前記第１の駆動手段が駆動する方向と直交する方向に該座板を駆動する第２の駆動手段、を具備し、少なくとも座板上の患者の患部を基準線上に位置せしめて該患部に陽子線を照射することを特徴とする陽子線治療システムに使用される治療台が提供される。
【００１８】
本願の請求項２に係る発明では、前記請求項１に係る発明に加えて、上記昇降機の一端は座板に固定され、他方端は基準線と直交し昇降機の伸縮軸線を中心にして回転する回転座上で前記第１と第２の駆動手段により駆動される基台に固定されていることを特徴とする陽子線治療システムに使用される治療台が提供される。
【００１９】
本願の請求項３に係る発明では、前記請求項１に係る発明に加えて、前記背板の座板に枢支されている縁と対抗する縁部に、位置可変自在に設けられた頭部固定座を有することを特徴とする陽子線治療システムに使用される治療台が提供される。
【００２０】
本願の請求項４に係る発明では、照射ノズルから出射される陽子線を患者の患部に照射する陽子線治療システムに使用される治療台において、固定された一方向に陽子線ビームを出射する照射ノズル、陽子線ビームを照射する一方向を基準線とするとき、該基準線を中心としてこれに直交する面上にある円の円周に沿って位置が可変であり、かつ該円の中心に向かってＸ線を放射するＸ線管、該基準線に対して直交する軸線が垂直に貫通する面に位置し、患者が座す座板、該座板の前縁でこれに回転自在に枢支され、少なくとも座板とほぼ平面を保持する位置で座板に固定できるフットレスト、該座板の後縁で該フットレストが軸支される枢支軸と平行な枢支軸で回転自在に軸支され、少なくとも座板とほぼ平面を保持する位置で座板に固定できる背板、該座板と基準線間の距離を可変にする昇降機、該座板を基準線と直交する軸線に対して回転させる回転手段、基準線と直交する軸線に対して直交し、且つ該基準線に対して平行方向に該座板を駆動する第１の駆動手段、基準線と直交する軸線に対して直交する方向で、且つ前記第１の駆動手段が駆動する方向と直交する方向に該座板を駆動する第２の駆動手段、を具備し、前記Ｘ線管から放射されるＸ線を用いて患者の患部位置を位置決めし、少なくとも座板上の患者の該患部を基準線上に位置せしめて該患部に陽子線を照射することを特徴とする陽子線治療システムに使用される治療台が提供される。
【００２１】
本願の請求項５に係る発明では、請求項４に係る発明に加えて、上記昇降機の一端は座板に固定され、他方端は基準線と直交し昇降機の伸縮軸線を中心にして回転する回転座上で前記第１と第２の駆動手段により駆動される基台に固定されていることを特徴とする陽子線治療システムに使用される治療台。
本願の請求項６に記載の発明では、請求項４に係る発明に加えて、前記背板の座板に枢支されている縁と対抗する縁部に、位置可変自在に設けられた頭部固定座を有することを特徴とする陽子線治療システムに使用される治療台が提供される。
【００２２】
【発明の実施の形態】
次に本発明の一実施の形態を、図面を用いて詳細に説明する。図１は、本発明に係る陽子線治療システムの治療台と陽子線照射の座標位置関係を示す位置関係図である。図１において、基準線をＬとし、照射ノズル１から放射される陽子線のビームはこの基準線Ｌを中心にして放射される。照射ノズル１の前方には、患者を載置する台座２が配置される。台座２は、患者が腰を掛ける座板３を中心として前方にフットレスト４が配置され、後方に背板５が配置されている。背板５の上縁には、頭部固定座６が設けられている。
【００２３】
座板３は、照射座標系において、Ｘｆ−Ｚｆ平面上に位置している。また、座板３は基準線Ｌと直交しているＹｆ方向に伸縮自在な昇降機７によりＹｆ軸方向に昇降される。一方、昇降機７は、Ｘｆ−Ｚｆ平面で回転自在な回転座８上で直交する２方向に移動自在な基台９に固定されている。なお、回転座８が回転する回転軸をθｓとし、回転座８上で基台９が移動する互いに直交する移動軸をそれぞれＸｓ軸、Ｚｓ軸とする。なお、照射座標系において、Ｘｚ−Ｚｚは、Ｘｆ−Ｚｆと反対の座標系を表す。
【００２４】
座板３の前縁に配置されたフットレスト４は、その前縁に位置するψｓ軸を中心として回転する。また、座板３の後縁に配置された背板５は、その後縁に位置するφｓ軸を中心として回転する。背板５の上縁に位置する頭部固定座６はその上縁に平行なω１ｓ軸及びω２ｓ軸を中心として回転する。
【００２５】
照射ノズル１の前部には、患者の患部位置を確認するためのＸ線管１０が配置される。Ｘ線管１０は、基準線Ｌを中心とする照射座標系Ｘｆ−Ｙｆ平面上に描かれる円１１の円周上を、中心点Ｏを中心として回転する。そして、Ｘ線管１０のＸ線照射方向は、Ｘ線管１０が該円１１の円周上のどの位置にあっても、中心点Ｏ方向である。
【００２６】
例えば、患者の頭頸部に発生した癌病巣の陽子線照射治療の順序について説明する。
患者を台座２に座らせた後、θｓ軸を回転させ、昇降機７を動作させ、座板３を上下方向に移動させてその高さ位置を調整し、Ｘｓ軸、Ｚｓ軸を調整して基台９を移動させ、患者の頭頸部を円１１の中心点Ｏ付近に位置させる。Ｘ線管１０を回転せしめてその位置を患者の例えば右側に移動させ、図には示されてはいないが、患者の左側にＸ線感光板を配置して患者の頭頸部をＸ線で透視撮影する。Ｘ線管１０の位置を種々変えて、同様な患部の透視撮影を行う。
【００２７】
上記のように、Ｘ線管１０の位置を変えて撮影された撮影パターンから人体内の正確な患部の位置を割り出し、且つ、患者の頭頸部のどの方向から陽子線を照射した場合に、効率よく陽子線が患部に作用するかを検討する。この結論に基づいて、患者が座した台座２の各軸を駆動して患者の体位を調整し、人体の陽子線入射位置を基準線Ｌ上に位置させるとともに、体内にある患部も基準線上に位置させる。勿論患部が位置する基準線上の位置は、陽子線の焦点を結ぶ位置でもある。このように人体を位置決めした後、患部に陽子線を照射して治療を行う。
【００２８】
患者の体内に存在する患部の位置によっては、例えば頭頸部の前面、両側面、後部のように、頭頸部の全周の複数箇所で撮影を行う必要が生じる場合がある。このような場合、図２に示すように、患者１２を台座２に座らせた状態で撮影することは出来ない。このような場合、図１を参照して、ψｓ軸を中心にフットレスト４を回転させて座板３と同一平面に揃え、また、φｓ軸を回転させて背板５を座板３と同一平面に揃えて、座板３、フットレスト４，背板５をフルフラット状態にする。この状態で、患者１２は台座２上で水平に仰臥した状態となる。
【００２９】
その後、θｓ軸を回転させ、昇降機７を動作させて座板３を上下してその高さ位置を調整し、Ｘｓ軸、Ｚｓ軸を調整して基台９を移動させ、患者１２の頭頸部を照射ノズル１方向に移動させ、θｓ軸を回転させ、昇降機７を動作させて座板３を上下してその高さ位置を調整し、Ｘｓ軸、Ｚｓ軸を調整して基台９を移動させ、患者１２の頭頸部の陽子線入射位置を基準線Ｌ上に位置させるとともに、体内にある患部も基準線上に位置させる。勿論患部が位置する基準線Ｌ上の位置は、陽子線の焦点を結ぶ位置でもある。このように人体を位置決めした後、患部に陽子線を照射して治療を行う。
【００３０】
次に、本発明に係る陽子線治療システムに使用される治療台の具体的な構造について説明する。
図３は、本発明に係る陽子線治療システムの治療台の詳細を示す側面図であり、図４はその背面図であり、図５は台座２を取り外した状態を示すその上面図である。なお、これらの図３乃至図５に示される治療台は、図１及びその説明で詳細に説明された治療台と同じであるので、同一部分には、同一符号を付し、その説明は省略する。
【００３１】
これらの図において、１３は患者１２の頭部である。前述のように座台２は、そのフットレスト４、背板５を水平に位置せしめることができるが、図３において、Ｈで示す状態は、昇降機７を動作させて座板３を支える水平座１４を載せた可動載置台１９を主柱１５に沿って最上部まで上昇させた後、基台９を回転軸１６を中心にして１８０度回転させ、基台駆動機構１７を使って基台９を−Ｚｓ方向いっぱいに移動させた後、フットレスト４、背板５を水平に延ばした状態を示す。なお、１８はフットレスト４の先端に設けられた足置き板である。また、基台９は、基台駆動機構１７を使って基台９をＸｓ方向に移動させることができる。
【００３２】
以上、本発明を上述の実施の形態により説明したが、本発明の主旨の範囲内で種々の変形や応用が可能であり、これらの変形や応用を本発明の範囲から排除するものではない。
【００３３】
【発明の効果】
以上詳細に説明したように、請求項１に係る発明は、治療台を構成する台座を、陽子線ビームを照射する一方向を基準線とするとき、該基準線に対して直交する軸線が垂直に貫通する面に位置し、患者が座す座板、該座板の前縁でこれに回転自在に枢支され、少なくとも座板とほぼ平面を保持する位置で座板に固定できるフットレスト、該座板の後縁で該フットレストが軸支される枢支軸と平行な枢支軸で回転自在に軸支され、少なくとも座板とほぼ平面を保持する位置で座板に固定できる背板、該座板と基準線間の距離を可変にする昇降機、該座板を基準線と直交する軸線に対して回転させる回転手段、基準線と直交する軸線に対して直交し、且つ該基準線に対して平行方向に該座板を駆動する第１の駆動手段、基準線と直交する軸線に対して直交する方向で、且つ前記第１の駆動手段が駆動する方向と直交する方向に該座板を駆動する第２の駆動手段で構成したので、患者を水平に仰臥させ、少なくとも患者の頭頸部に位置する患部を基準線上に位置させることが出来るので、患者に対して、少なくとも頭頸部にコンプランナー照射のみならず、陽子線治療で要求される任意の方向からの照射、すなわち照射方向が患者軸心に対して任意の方向と距離からのノンコンプラナー照射をも実現できる。
請求項２及び請求項５に係る発明は、台座を、昇降機の一端は座板に固定され、他方端は基準線と直交し昇降機の伸縮軸線を中心にして回転する回転座上で前記第１と第２の駆動手段により駆動される基台に固定されている構成を有するので、台座を構成する各部分は互いに円滑に且つ有機的に結合され、動作が極めて円滑に行われる。
請求項３及び請求項６に係る発明は、背板の座板に枢支されている縁と対抗する縁部に、位置可変自在に設けられた頭部固定座を有するので、患者の頭部を明確に位置決めでき、患者に対する治療を確実なものとすることが出来る。
請求項４に係る発明は、治療台に患部を位置決めするＸ線管を設けたので、請求項１に係る発明の効果に加えて、同じ治療台上で患部の位置決めと治療とを行うことが出来る。
【図面の簡単な説明】
【図１】図１は、本発明に係る陽子線治療システムの治療台の自由度を示す線図である。
【図２】図２は、図１に示す線図の一部分を拡大した部分線図である。
【図３】図３は、本発明に係る陽子線治療システムの治療台の側面図である。
【図４】図４は、本発明に係る陽子線治療システムの治療台の背面図である。
【図５】図５は、本発明に係る陽子線治療システムの治療台の上面図である。
【図６】図６は、陽子線治療システムの全体構成図である。
【符号の説明】
Ａ・・・・・治療装置
Ｂ・・・・・付属装置
Ｃ・・・・・付帯設備装置
Ｌ・・・・・基準線
１・・・・・照射ノズル
２・・・・・台座
３・・・・・座板
４・・・・・フットレスト
５・・・・・背板
６・・・・・頭部固定座
７・・・・・昇降機
８・・・・・回転座
９・・・・・基台
１０・・・・・Ｘ線管
１１・・・・・円
１２・・・・・患者
１３・・・・・頭部
１４・・・・・水平座
１５・・・・・主柱
１６・・・・・回転軸
１７・・・・・基台駆動機構
１８・・・・・足置き板
１９・・・・・可動載置台
１０１・・・・・陽子線加速装置
１０２・・・・・ＢＴＳ
１０３・・・・・回転照射装置
１０４・・・・・固定照射装置
【図１】
0003707967.tif 000002
【図２】
0003707967.tif 000003
【図３】
0003707967.tif 000004
【図４】
0003707967.tif 000005
【図５】
0003707967.tif 000006
【図６】
0003707967.tif 000007